(57)【特許請求の範囲】
【請求項１】
蓄氷室のドアーの内側に、ドアーのヒンジ部分に氷塊が挟まるのを阻止する目的でインナードアーを設けてなる製氷機のドアー開閉機構において、上記ドアーの内殻をプラスチック材料の成形体とし、上記内殻と共に同一材料で雌ねじを削設するための孔を中心に有するボス、およびインナードアーを開閉するための引っ掛け片とを一体に形成してなることを特徴とする製氷機のドアー開閉機構。
【請求項２】
上記雌ねじを削設するための孔に、発泡過程にある発泡樹脂組成物の漏出を阻止する薄膜を形成し、上記インナードアーの奥端縁は蓄氷室の床面開口部に当接して回動自在に取り付けられ、その自由端は、上記ドアーの内殻に一体成形された引っ掛け片に遊嵌状態で嵌め込まれていることを特徴とする請求項１に記載の製氷機のドアー開閉機構。
【発明の詳細な説明】
【０００１】
【発明の属する技術分野】
この発明は、製氷機の一構成部分である蓄氷室のドアー開閉機構に関する。
【０００２】
【従来の技術】
製氷機３０は図３に示すように、冷凍機（省略）と、その冷凍機よって氷塊を作り排出する製氷部（省略）と、排出された氷塊を貯める蓄氷室３３とからなり、蓄氷室３３の前面には氷塊を取り出すためのドアー３４が設けられている。
【０００３】
上記ドアー３４は、その下部にヒンジ３５が設けられ、ドアー３４の上端に設けられた把手３６を手前に引くことにより上記ヒンジ３５を軸にしてドアー３４が開かれるが、ドアー３４を開いたときに蓄氷室３３の側壁３３w とドアー３４との間に三角形の空間ができ、そこから氷塊がこぼれ落ちないようにするため、また、ヒンジ３５の部分に氷塊が挟まると開いたドアー３４が閉められなくなるので、ドアー３４の裏側に側板３７を有するインナードアー３８が設けられている。
【０００４】
このインナードアー３８は、その奥端縁３８t が蓄氷室３３の床面開口部に当接状態で回動自在に取り付けられ、その自由端３８f はドアー３４の裏側に設けられた引っ掛け片３９に引っ掛けられ状態になってあって、ドアー３４が開閉されると位置ずれを起こしながら共に開閉される。
【０００５】
【発明が解決しようとする課題】
上記インナードアーを開閉するための引っ掛け片は、これまでステンレス鋼で造られていたが、これでは部品を別途製造する必要があり、コストダウンと生産性の向上の障害となっていた。
【０００６】
上記従来技術の問題に鑑みこの発明は、上記引っ掛け片をドアーの内殻を成形する際に、同時成形することとし、しかも、その引っ掛け片が疲労破断した場合であっても、直ちに修復できるようにした製氷機のドアー開閉機構を提供することを課題とする。
【０００７】
【課題を解決するための手段】
上記課題を解決するためにこの発明は、蓄氷室のドアーの内側に、ドアーのヒンジ部分に氷塊が挟まるのを阻止する目的でインナードアーを設けてなる製氷機のドアー開閉機構において、上記ドアーの内殻をプラスチック材料の成形体とし、上記内殻と同一材料で雌ねじを削設するための孔を中心に有するボス、およびインナードアーを開閉するための引っ掛け片とを一体に形成してなり、上記雌ねじを削設するための孔に、発泡過程にある発泡樹脂組成物の漏出を阻止する薄膜を形成し、上記インナードアーの奥端縁は蓄氷室の床面開口部に当接して回動自在に取り付けられ、その自由端は、上記ドアーの内殻に一体成形された引っ掛け片に遊嵌状態て嵌め込まれている構成としたものである。
【０００８】
上記の如く構成するこの発明によれば、ドアーの内殻と共にインナードアーの引っ掛け片が成形されるのでコストの低減と生産性が向上する。また、若し、上記引っ掛け片が疲労破断したときには、上記ボスに予め用意された引っ掛け金具をネジ止めするならば上記内殻を取り替えることなく短時間で修復することができる。また、上記雌ねじを削設するための孔には薄膜が形成されているので発泡過程にある発泡樹脂組成物の漏出が阻止される。
【０００９】
【発明の実施の形態】
次にこの発明の実施形態を図面を参照しながら説明する。製氷機１０は、冷凍機（省略）と、その冷凍機よって氷塊を作り排出する製氷部分（省略）と、排出された氷塊を貯める蓄氷室１３とからなり、蓄氷室１３の前面には氷塊を取り出すためのドアー１４が設けられている。
【００１０】
上記ドアー１４は、その下部にヒンジ１５が設けられ、ドアー１４の上端に設けられた把手１６を手前に引くことにより上記ヒンジ１５を軸にしてドアー１４が開かれるが、ドアー１４を開いたとき、蓄氷室１３の側壁１３w とドアー１４との間に三角形の空間ができ、そこから氷塊がこぼれ落ちないようにするため、また、ヒンジ１５の部分に氷塊が挟まると開いたドアー１４が閉められなくなるので、ドアー１４の裏側に側板１７を有するインナードアー１８が設けられている。
【００１１】
このインナードアー１８は、インナードアーの奥端縁１８t の両端にはピン２０が突出してあり、このピン２０は蓄氷室１３の開口両壁１３w と床面２２とが向き合うコーナーに設けられたピン孔２１に嵌入して回動自在に取り付けられ、その自由端１８f はドアー１４の内殻１４i に設けられた引っ掛け片１９に引っ掛けられた状態になり、ドアー１４が開閉されると位置ずれを起こしながら共に開閉される。
【００１２】
従って、ドアー１４が閉じられているときインナードアー１８の自由端１８f は引っ掛け片１９に最も奥深く引っ掛かっており、開くに従って引っ掛かり具合が浅くなる。
【００１３】
上記インナードアー１８の引っ掛け片１９は、ドアー１４の内殻１４i が成形されるときに同時に同一材料で成形される。即ち、ドアー１４の内殻１４i の成形用金型には、引っ掛け片１９の型が彫られてあって同時成形される。
【００１４】
また、上記引っ掛け片１９の近傍には雌ねじを削設するための孔２４を有するボス２３であって、その孔２４に薄膜２５を設けたボス２３が同時に成形される。
【００１５】
上記薄膜２５はドアー１４の内部に発泡樹脂組成物を注入して断熱層を形成する際、該発泡樹脂組成物の漏出を阻止するためのもので、その設ける位置は孔の入り口でも出口でもよい。
【００１６】
上記のような機構とすることにより、氷塊はドアー１４のヒンジ部分に挟まることがなく自由な開閉が保証され、インナードアー１８の側板１７により氷塊が落ちこぼれるのを防止する。
【００１７】
若し、引っ掛け片１９が疲労破断したときは、薄膜２５を破って雌ねじを削設し予め用意されたステンレス製の引っ掛け金具（従来例と同様の形でよい）をネジ止めする（ここでは、セルフタップネジを使用すると便利である）ことにより短時間で修復することができる。
【００１８】
【発明の効果】
以上説明したようにこの発明によれば、インナードアーをドアーとともに開閉する引っ掛け片がドアーの内殻と同一材料で同時成形されるのでコストダウンと生産性を向上させることができる。
【００１９】
また、若し引っ掛け片が疲労破断した場合には、予め用意した引っ掛け金具をボスネジ止めすれば簡単に短時間に修復する事ができる。また、ボスの中心の孔には薄膜が形成されているので発泡過程の樹脂組成物が漏出することはない。
【図面の簡単な説明】
【図１】本発明に係る製氷機の要部縦断面図
【図２】同、全体の斜視図
【図３】従来例の要部縦断面図
【符号の説明】
１０  製氷機
１３  蓄氷室
１３w   蓄氷室の側壁
１４  ドアー
１４i   内殻（ドアーの）
１５  ヒンジ
１６  把手
１７  側板
１８  インナードアー
１８t   インナードアーの奥端縁
１８f   インナードアーの自由端
１９  引っ掛け片
２０  ピン
２１  ピン孔
２２  床面（蓄氷室の）
２３  ボス
２４  孔（ネジの）
２５  薄膜
【図１】
0004406757.tif 000002
【図２】
0004406757.tif 000003
【図３】
0004406757.tif 000004